(57)【要約】      （修正有）【課題】支持装置を作業台に固定取り付けした状態のまま、支持装置の先に取り付けた顕微鏡本体を作業台上の広範囲に、任意の傾きで移動させられる実体顕微鏡用支持装置を提供する。【解決手段】支持装置１はクランプ式固定金具２と円柱部３と可撓性支腕４で構成する。クランプ式固定金具２は支持装置１を水平作業板６の一側縁に固定するもので側面視コ状で、コ状下面板中央に手回し可能な締めつけボルトを上方に向けねじ込み、該締めつけボルトをねじ込むとボルト先端の締めつけ面とコ状上面板との間で水平作業板６を締めつけて固定されるよう構成する。円柱部３は長さ２０乃至３０ｃｍとしてクランプ式固定金具２のコ状上面板の上面側に立設する。可撓性支腕４は長さ１．０乃至１．５ｍの剛性を有する可撓性パイプで形成し、一端を円柱部３上端に接続し、他端に双眼顕微鏡本体５を取り付け可能とする。【選択図】図１
0003209457.tif 000002
【実用新案登録請求の範囲】
【請求項１】
実体顕微鏡の双眼顕微鏡本体部を支持して双眼顕微鏡本体を広範囲に移動させ、任意姿勢で支持させるための実体顕微鏡用支持装置であって、
該支持装置はクランプ式固定金具と円柱部と可撓性支腕から構成され、
前記クランプ式固定金具は支持装置を水平作業板の一側縁に固定するためのもので、側面視コ状で、コ状下面板中央には手回し可能な締めつけボルトが上方に向けねじ込まれ、該締めつけボルトを上方に向けねじ込むとボルト先端の締めつけ面とコ状上面板との間で前記水平作業板を締めつけて固定金具自体が固定されるように構成されており、
前記円柱部は長さ２０乃至３０ｃｍで、前記クランプ式固定金具のコ状上面板の上面側に立設されており、
前記可撓性支腕は一端が前記円柱部上端に接続され、他端は前記双眼顕微鏡本体を取り付け可能とされており、剛性を有する可撓性パイプで形成され、その長さは１．０乃至１．５ｍとされていることを特徴とする実体顕微鏡用支持装置。
【請求項２】
請求項１に記載の実体顕微鏡用支持装置において、前記円柱部は中空で、下端近くの側壁には貫通孔が形成され、該貫通孔から前記可撓性支腕の双眼顕微鏡本体側端部間には、該双眼顕微鏡本体に取り付けられた照明装置に電源を供給する給電ケーブルが挿通してあることを特徴とする実体顕微鏡用支持装置。
【考案の詳細な説明】
【技術分野】
【０００１】
本考案は、実体顕微鏡本体を広範囲に移動可能に支持する実体顕微鏡用支持装置に関する。
【背景技術】
【０００２】
実体顕微鏡は双眼実体顕微鏡とも呼ばれ、観察対象をそのままの状態で立体的に拡大して肉眼観察できる装置である。立体的な観察ができるのは、左右の光路が別々に構成されているため両眼で同時に標本を見ることができるからである。生体組織の薄切り標本などに下から光を透過させて観察する生物顕微鏡とは違い、実体顕微鏡では観察対象の上から光を当てて物体表面を観察する。倍率は数倍から数十倍程度までと比較的低倍率であるが、観察対象との間に広いスペースを確保できる。このため広い視野範囲を必要とするマクロ観察に適しており、観察を行いながら作業を行なう精密組立て作業、外科手術、昆虫観察などに使用される。
【０００３】
しかし、これらの作業に使用する際には実体顕微鏡本体を広範囲に移動させる必要がある。外科手術に使用する実体顕微鏡では、顕微鏡本体を電動で上下、旋回、傾動する長いアームの先端に取り付けて使用される（例えば、特許文献１参照）。しかし、こうしたアームは大型で高価なため一般用途には使用できない。一般用途として流通している実体顕微鏡は、例えば図５に示すような構造をしている。その支持装置はベース５１に垂直に立てた支柱５２に短いアーム５４を上下、水平旋回可能に取り付け、その先に顕微鏡本体５３を取り付けたものである。顕微鏡本体５３は狭い範囲での上下、水平旋回、前後移動しかできない。
【０００４】
顕微鏡本体の姿勢を任意に変えられるようにするため、前記のようなアーム５４に代えて、例えば図６に示すようにベース５５に垂直に立てた短い支柱５６の先に可撓性のある短い支腕５７を取り付け、その先に顕微鏡本体５８を固定したものもある。しかし、先端に取り付けた顕微鏡本体５８の重みによる転倒を防止するため、支腕５７の長さは３０ｃｍ程度と短くし、ベース５５は大きくて重量のあるもので構成されている。このため顕微鏡本体５８はベース５５を中心とした狭い範囲にしか移動させることができない。広範囲に移動させる場合にはベース５５自体を移動させる必要がある。また、アーム５７の長さが短いため、観察対象の寸法が大きい場合には観察したい部分の上に顕微鏡の対物レンズを近づけることができず、観察できない問題がある。
【先行技術文献】
【特許文献】
【０００５】
【特許文献１】特許第５４２６４９３号公報
【特許文献２】特開２０１０−２７０８１１号公報
【考案の開示】
【考案が解決しようとする課題】
【０００６】
本考案は、従来技術のこうした問題点を解決するためになされたもので、その課題は、支持装置を作業台へ固定取り付けした状態のまま、支持装置の先に取り付けた顕微鏡本体を作業台上の広範囲に、任意の傾きで移動させることのできる実体顕微鏡用支持装置を提供することにある。
【課題を解決するための手段】
【０００７】
前記課題を解決するための請求項１に記載の考案は、実体顕微鏡の双眼顕微鏡本体部を支持して双眼顕微鏡本体を広範囲に移動させ、任意姿勢で支持させるための実体顕微鏡用支持装置であって、該支持装置はクランプ式固定金具と円柱部と可撓性支腕から構成され、クランプ式固定金具は支持装置を水平作業板の一側縁に固定するためのもので、側面視コ状で、コ状下面板中央には手回し可能な締めつけボルトが上方に向けねじ込まれ、該締めつけボルトを上方に向けねじ込むとボルト先端の締めつけ面とコ状上面板との間で水平作業板を締めつけて固定金具自体が固定されるように構成されており、円柱部は長さ２０乃至３０ｃｍで、クランプ式固定金具のコ状上面板の上面側に立設されており、可撓性支腕は一端が前記円柱部上端に接続され、他端は双眼顕微鏡本体を取り付け可能とされており、剛性を有する可撓性パイプで形成され、その長さは１．０乃至１．５ｍとされていることを特徴とする実体顕微鏡用支持装置である。
【０００８】
このような構成の支持装置は、下端側を水平作業板の一側縁に固定させたまま双眼顕微鏡本体部を極めて広い範囲に移動させることが可能である。このため広い作業台上での精密組立て作業、手術台上の患者の患部観察等、従来の実体顕微鏡では不可能であった各種観察作業に活用できる利点を有する。可撓性支腕が非常に長く構成されているため、支持装置には先端の双眼顕微鏡本体部の重量により支持装置を転倒させようとする大きな曲げモーメントが働く。しかし、本支持装置は従来の実体顕微鏡のように支持装置を作業板上に載置したベースに取り付けるのはなく、クランプ式固定金具を使用して水平作業板の一側縁に強固に固定する構造を採用している。このため可撓性支腕が長くても、支持装置の転倒が防止される利点を有する。
【０００９】
また、請求項２に記載の考案は、請求項１に記載の実体顕微鏡用支持装置において、円柱部は中空で、下端近くの側壁には貫通孔が形成され、該貫通孔から可撓性支腕の双眼顕微鏡本体側端部間には、該双眼顕微鏡本体に取り付けられた照明装置に電源を供給する給電ケーブルが挿通してあることを特徴とする実体顕微鏡用支持装置である。
【００１０】
このような構成とすれば、観察物を上から照らすための照明装置を可撓性支腕の先端に双眼顕微鏡本体部と一緒に取り付け、双眼顕微鏡本体部と一緒に移動させることが可能となる。
【図面の簡単な説明】
【００１１】
【図１】本考案に係る実体顕微鏡用支持装置１に双眼顕微鏡本体部５を取り付けた実体顕微鏡の外観図である。
【図２】波付き可撓管９の構造例である。
【図３】支持装置１を使用した実体顕微鏡により人体表面の観察を行なっている状態である。
【図４】照明用給電ケーブル１２を追加した支持装置１ａの外観図である。
【図５】従来の実体顕微鏡の例である。
【図６】従来の実体顕微鏡の他の例である。
【考案を実施するための形態】
【００１２】
以下、本考案を実施するための一形態について図面を参照して説明する。図１は本考案に係る実体顕微鏡用支持装置に双眼顕微鏡本体部を取り付けた実体顕微鏡の外観図である。実体顕微鏡用支持装置１は、クランプ式固定金具２と円柱部３と可撓性支腕４から構成される。図１は双眼顕微鏡本体部５を可撓性支腕４の先端に取り付け、支持装置１を水平作業板６の一側縁に固定した状態の側面図である。
【００１３】
支持装置１のクランプ式固定金具２は、支持装置１を水平作業板６の一側縁に固定するためのものである。本実施形態の支持装置１は、双眼顕微鏡本体部５を水平作業板６上を広範囲に移動させられるようにするため可撓性支腕４が非常に長く構成されている点に特徴がある。このため先端に取り付けた双眼顕微鏡本体部５の重量により支持装置１には、支持装置１を双眼顕微鏡本体部５の方向に転倒させようとする大きな曲げモーメントが働く。前述の図５、図６で示した従来の実体顕微鏡のように支持装置を作業板６上に置いたベース５１、５５に取り付ける構成では、この大きな曲げモーメントに抗することはできず、ベース５１、５５が浮き上がって実体顕微鏡は転倒してしまう。この転倒を防止するため本実施形態の支持装置１は、クランプ式固定金具２を使用して水平作業板６の一側縁に支持装置１を強固に固定する構成を採用している。
【００１４】
クランプ式固定金具２は側面視コ状で、そのコ状下面板中央に締めつけボルト２ａが上方に向けねじ込まれている。締めつけボルト２ａの下端に取り付けられたハンドル２ｂを右回転させると締めつけボルト２ａがねじ込まれ、ボルト先端に取り付けられた締めつけ面２ｃとコ状上面板との間で水平作業板６を締めつけ、強固に固定される。
【００１５】
側面視コ状のクランプ式固定金具２の上面板中央には円柱部３が立設されている。円柱部３は丸棒でもよいし中空棒でもよい。長さは２０乃至３０ｃｍにしてある。円柱部３の上端には可撓性支腕４が接続してある。可撓性支腕４は強い剛性を有する可撓性パイプで形成されており、その長さは１．０乃至１．５ｍと非常に長く形成されている点に大きな特徴がある。その長くて強い剛性を有する可撓性支腕４の先端に双眼顕微鏡本体部５を取り付けて実体顕微鏡とする。
【００１６】
可撓性支腕４には、例えば特許文献２に開示されている図２に示すような波付き可撓管９を使用する。図２中の左半分は側面図、右半分は断面図である。管の外周に山部と谷部とが螺旋状に連続形成された構成になっている。このような波付き可撓管９は電線、ケーブル等を内部に通して保護する用途に広く用いられている保護管である。材質の選択や厚みの調整により、人力では曲げることが困難な位に強い剛性を有する可撓管を製造することが可能である。材質としては、例えば、ポリオレフィン系樹脂を使用する。本実施形態で使用する可撓性支腕４は、クランプ式固定金具２を水平作業板６に固定したまま、その可撓性により双眼顕微鏡本体部５を広い範囲に移動させられる柔軟性を必要とする反面、双眼顕微鏡本体部５を位置決めした状態では双眼顕微鏡本体部５がその位置でブレナイように保持する剛性が必要とされる。このため本実施形態の可撓性支腕４は、強い剛性を有するように形成されている。
【００１７】
図３は、このような構成の支持装置１を使用した実体顕微鏡により人体表面の観察を行なっている状態の例である。水平作業板６の上、又はベッド、手術台の上に横になっている人間の胸部、腹部等の表面を双眼顕微鏡本体部５で観察している状態を示している。支持装置１の可撓性支腕４の長さが１．０乃至１．５ｍと非常に長く形成してあるため、このように支持装置１の下端側を水平作業板６の一側縁に固定したまま双眼顕微鏡本体部５の対物レンズを人体上の広い範囲に移動させて表面の観察を行なうことができる。患部を観察しながらの患者の手術に、従来の高価なアームに代えて使用することも可能である。図５、図６に示したような従来の双眼実体顕微鏡では不可能なことである。
【００１８】
支持装置１の円柱部３には、双眼顕微鏡本体部５の重量により可撓性支腕４を介してそれを倒そうとする大きな曲げモーメントが働く。しかしその下端側が取り付けられたクランプ式固定金具２が締めつけボルト２ａにより水平作業板６に強固に固定されているので円柱部３が転倒することはない。このように本実施形態の実体顕微鏡用支持装置は、先端に取り付けた双眼顕微鏡本体部を非常に広範囲に移動させられる利点を有する。
【００１９】
本実施形態の支持装置１の先端に取り付けてある双眼顕微鏡本体部５と、図５、図６に示した従来の支持装置に取り付けてある顕微鏡本体５３、５８は共に同じ双眼顕微鏡であり、大きさは同じである。それら双眼顕微鏡の大きさとそれを支持している支腕の大きさの比率を比べれば、本願の支持装置１の可撓性支腕４が従来の支持装置に比べてその長さが非常に長く形成され、それでいて転倒しないように構成されている点に構造上の特徴がある。
【００２０】
図４は、前記実施形態の支持装置１に、観察物を上部から照らす照明装置に電源を供給する機能を追加した支持装置１ａの構成図である。照明装置は可撓性支腕４の先端部に双眼顕微鏡本体部５と一緒に取り付ける。支持装置１ａの円柱部３は中空とし、その下端部側壁には孔を形成し、その孔から電源ケーブル１２を挿入する。電源ケーブル１２は中空の円柱部３の内部、可撓性支腕４の内部を通し、可撓性支腕４の先端部側壁の孔から他端を引き出す。引きだした電源ケーブル１２の他端を照明装置に接続し、円柱部３の下端側から電源を供給する。
【００２１】
本願の支持装置１、１ａを用いた実体顕微鏡は双眼顕微鏡本体部５を広範囲に移動させられることに特徴がある。この場合に観察物を照らす照明装置を支持装置１、１ａとは別置きの装置とし、双眼顕微鏡本体部５の位置に合わせて照明装置を移動させるのでは支持装置１、１ａの利点は半減する。双眼顕微鏡本体部５を広範囲に容易に移動させて使用できる利点を生かすには、照明装置も可撓性支腕４の先端部に双眼顕微鏡本体部５と一緒に取り付け、一緒に移動させる構成とすることが望ましい。支持装置を図４の支持装置１ａのような構成としてその先端部に照明装置を取り付け、電源ケーブル１２にて照明装置に電源を供給することによりそれが可能になる。
【符号の説明】
【００２２】
図面中、１、１ａは実体顕微鏡用支持装置、２はクランプ式固定金具、２ａは締めつけボルト、２ｃは締めつけ面、３は円柱部、４は可撓性支腕、５は双眼顕微鏡本体、６は水平作業板、９は波付き可撓管、１２は電源ケーブルを示す。
【図１】
0003209457.tif 000003
【図２】
0003209457.tif 000004
【図３】
0003209457.tif 000005
【図４】
0003209457.tif 000006
【図５】
0003209457.tif 000007
【図６】
0003209457.tif 000008